(57)【要約】【課題】デバイスリンクプロファイルをハイライト部の色再現性に優れたものに補正することができるプロファイル補正装置等を提供すること。【解決手段】デバイスリンクプロファイルのLUTにおけるハイライト部を入力値に対してリニアに書き換えるとともに、デバイスリンクプロファイルの出力側１次元カーブを、印刷機の刷版カーブのハイライト部分と出力側１次元カーブの非ハイライト部分を連結した連結カーブにより置換する。【選択図】図４
2014022884.tif 000002
【特許請求の範囲】
【請求項１】
印刷機のデバイスリンクプロファイルを補正するプロファイル補正装置であって、
前記印刷機の刷版カーブを取得する刷版カーブ取得手段と、
前記取得した刷版カーブのハイライト部分と、前記デバイスリンクプロファイルに含まれる出力側１次元カーブにおける非ハイライト部分を連結することにより、連結カーブを作成するカーブ作成手段と、
前記デバイスリンクプロファイルに含まれるLUT（Look up Table）におけるハイライト部分の出力値を入力値に対してリニアに書き換える書換手段と、
前記デバイスリンクプロファイルに含まれる出力側１次元カーブを、前記作成された連結カーブにより置換する置換手段と、
を備えることを特徴とするプロファイル補正装置。
【請求項２】
請求項１に記載のプロファイル補正装置であって、
前記カーブ作成手段は、前記連結カーブにおける連結部分の値を、単純移動平均法により算出した値に基づいて平均化することにより、前記連結部分を平滑化することを特徴とするプロファイル補正装置。
【請求項３】
印刷機のデバイスリンクプロファイルを補正するプロファイル補正装置により実行されるプロファイル補正方法であって、
前記印刷機の刷版カーブを取得する刷版カーブ取得工程と、
前記取得した刷版カーブのハイライト部分と、前記デバイスリンクプロファイルに含まれる出力側一次元カーブにおける非ハイライト部分を連結することにより、連結カーブを作成するカーブ作成工程と、
前記デバイスリンクプロファイルに含まれるLUT（Look up Table）におけるハイライト部分の出力値を入力値に対してリニアに書き換える書換工程と、
前記デバイスリンクプロファイルに含まれる出力側１次元カーブを、前記作成された連結カーブにより置換する置換工程と、
を含むことを特徴とするプロファイル補正方法。
【請求項４】
印刷機のデバイスリンクプロファイルを補正するプロファイル補正装置に含まれるコンピュータを、
前記印刷機の刷版カーブを取得する刷版カーブ取得手段、
前記取得した刷版カーブのハイライト部分と、前記デバイスリンクプロファイルに含まれる出力側一次元カーブにおける非ハイライト部分を連結することにより、連結カーブを作成するカーブ作成手段、
前記デバイスリンクプロファイルに含まれるLUT（Look up Table）におけるハイライト部分の出力値を入力値に対してリニアに書き換える書換手段、
前記デバイスリンクプロファイルに含まれる出力側１次元カーブを、前記作成された連結カーブにより置換する置換手段、
として機能させることを特徴とするプロファイル補正プログラム。
【発明の詳細な説明】
【技術分野】
【０００１】
本発明は、カラーマネージメントを行うためのデバイスリンクプロファイルの技術分野に関する。
【背景技術】
【０００２】
オフセット印刷機で色見本通りの印刷物を印刷しようとする場合、オフセット印刷機の設定を基準濃度に合わせるだけでこれを実現することが理想である。しかしながら、実際には機械的変動や材料的変動によるバラツキや、機械方式の違いやインキの違いといった機械特性（機差）によるバラツキから、網点面積率を10％にしたい部分が15%になってしまったりして色見本通りの色が再現できないことが多々ある。この問題に対してオフセット印刷機の版で補正する際に用いられるのが刷版カーブである。刷版カーブは、網点を元のデータよりも太らせたり飛ばしたりすることにより、上述した諸要因によるバラツキを改善することができる。また、刷版カーブは、オフセット印刷機による印刷及び刷版カーブの評価というサイクルを複数回繰り返し行うことにより作成され、１次色の色再現に優れている。
【０００３】
しかしながら、刷版カーブは１次色の階調補正テーブルであり、２次色以上の色をコントロールすることが難しいとされている。また、オフセット印刷機は、刷版カーブだけでは色見本通りに調整できないため、最終的にはオペレータがオフセット印刷機のインキキーを調整して色合せを行っている。この際、刷版カーブは、ある部分の絵柄の色を合わせようとすると、別の絵柄の色が合わなくなってしまうといった欠点もある。
【０００４】
これを解決するために、ICC（International Color Consortium）プロファイルを用いた色補正技術が採用されるようになってきている。この技術を利用した製品例もある（例えば、CGS社（CGS Publishing Technologies International GmbH）のPRESS MATCHER）。ICCプロファイルはインターナショナルカラーコンソーシアムが策定した仕様であり、オフセット印刷機向けにICCプロファイルを使用した例が数多くある（例えば、特許文献１）。
【０００５】
また、ICCプロファイルを組み合わせたデバイスリンクプロファイルが広く利用されている。例えば、入力のCMYK（C:Cyan、M:Magenta、Y:Yellow、K:Key Plate）値を変換して出力のCMYK値を取得するためのLUT（Look up Table）を含むオフセット印刷機用のデバイスリンクプロファイルがある。一般的にデバイスリンクプロファイルは、印刷されたカラーチャートを測色することによりCMYK値及びL*a*b*値を取得しておき、入力のCMYK値に対応するL*a*b*値と比較して色差ΔEが最小であるL*a*b*値を探索し、それぞれのCMYK値同士を対応付けることによりLUTを生成する。また、LUTは連続的な全てのCMYK値について規定しているわけではなく、離散的な定義値としての格子点におけるCMYK値についてのみ規定している。
【先行技術文献】
【特許文献】
【０００６】
【特許文献１】特開２００２−３０１８０７号公報
【発明の概要】
【発明が解決しようとする課題】
【０００７】
しかしながら、上述したような一般的な作成方法により作成されたオフセット印刷機用のデバイスリンクプロファイルをそのまま利用して印刷を行った場合、ハイライト部分（例えば、網点面積率が数％の部分）の網点の再現不良が発生する場合がある。これには２つの原因が考えられる。一点目は、デバイスリンクプロファイルに含まれるLUTが一般的に１０数段階程度（例えば、１１段階であれば網点面積率１０％間隔）で構成されているため、テーブルに存在しない値を存在する値から推定して算出しなければならないという点である。二点目は、ハイライト部では他の部分と比べて測色した際のL*a*b*値にばらつきが生じやすく、また、紙の色の影響も受けやすいという点である。
【０００８】
本発明は、このような問題等に鑑みて為されたもので、デバイスリンクプロファイルをハイライト部の色再現性に優れたものに補正することができるプロファイル補正装置等を提供することを課題とする。
【課題を解決するための手段】
【０００９】
上記課題を解決するために、請求項１に記載の発明は、印刷機のデバイスリンクプロファイルを補正するプロファイル補正装置であって、前記印刷機の刷版カーブを取得する刷版カーブ取得手段と、前記取得した刷版カーブのハイライト部分と、前記デバイスリンクプロファイルに含まれる出力側一次元カーブにおける非ハイライト部分を連結することにより、連結カーブを作成するカーブ作成手段と、前記デバイスリンクプロファイルに含まれるLUT（Look up Table）におけるハイライト部分の出力値を入力値に対してリニアに書き換える書換手段と、前記デバイスリンクプロファイルに含まれる出力側１次元カーブを、前記作成された連結カーブにより置換する置換手段と、を備えることを特徴とする。
【００１０】
請求項２に記載の発明は、請求項１に記載のプロファイル補正装置であって、前記カーブ作成手段は、前記連結カーブにおける連結部分の値を、単純移動平均法により算出した値に基づいて平均化することにより、前記連結部分を平滑化することを特徴とする。
【００１１】
請求項３に記載の発明は、印刷機のデバイスリンクプロファイルを補正するプロファイル補正装置により実行されるプロファイル補正方法であって、前記印刷機の刷版カーブを取得する刷版カーブ取得工程と、前記取得した刷版カーブのハイライト部分と、前記デバイスリンクプロファイルに含まれる出力側一次元カーブにおける非ハイライト部分を連結することにより、連結カーブを作成するカーブ作成工程と、前記デバイスリンクプロファイルに含まれるLUT（Look up Table）におけるハイライト部分の出力値を入力値に対してリニアに書き換える書換工程と、前記デバイスリンクプロファイルに含まれる出力側１次元カーブを、前記作成された連結カーブにより置換する置換工程と、を含むことを特徴とする。
【００１２】
請求項４に記載の発明は、印刷機のデバイスリンクプロファイルを補正するプロファイル補正装置に含まれるコンピュータを、前記印刷機の刷版カーブを取得する刷版カーブ取得手段、前記取得した刷版カーブのハイライト部分と、前記デバイスリンクプロファイルに含まれる出力側一次元カーブにおける非ハイライト部分を連結することにより、連結カーブを作成するカーブ作成手段、前記デバイスリンクプロファイルに含まれるLUT（Look up Table）におけるハイライト部分の出力値を入力値に対してリニアに書き換える書換手段、前記デバイスリンクプロファイルに含まれる出力側１次元カーブを、前記作成された連結カーブにより置換する置換手段、として機能させることを特徴とするプロファイル補正プログラムである。
【発明の効果】
【００１３】
本発明によれば、デバイスリンクプロファイルのLUTにおけるハイライト部が入力値に対してリニアに書き換えられるとともに、デバイスリンクプロファイルの出力側１次元カーブが、色再現性に優れる刷版カーブのハイライト部分と出力側１次元カーブの非ハイライト部分を連結した連結カーブにより置換されることから、ハイライト部分の色再現性に優れたデバイスリンクプロファイルに補正することができる。
【図面の簡単な説明】
【００１４】
【図１】デバイスリンクプロファイルに含まれるLUTの一例を示す図である。
【図２】プロファイル生成装置１の構成を示すブロック図である。
【図３】プロファイル生成装置１の制御部１１によるデバイスリンクプロファイル作成処理の一例を示すフローチャートである。
【図４】刷版カーブＣＣと出力側１次元カーブＰＣとを強制連結した様子を示す図であり、（ａ）はそのカーブ全体を示す図であり、（ｂ）は連結部を拡大表示した図である。
【図５】（ａ）は従来の一般的な方法で作成されたデバイスリンクプロファイルの一例を示す図である。（ｂ）はデバイスリンクプロファイル補正処理により補正されたデバイスリンクプロファイルの一例を示す図である。
【発明を実施するための形態】
【００１５】
以下、図面を参照して本発明の実施形態について説明する。
【００１６】
［１．プロファイル生成装置の機能概要及び構成］
［１．１．プロファイル生成装置の機能概要］
まず、本実施形態のプロファイル生成装置１（「プロファイル補正装置」の一例）の機能概要について説明する。プロファイル生成装置１は、大別して２つの機能を有する。一つ目はデバイスリンクプロファイルを生成する機能であり、二つ目はデバイスリンクプロファイルを補正する機能である。
【００１７】
［１．１．１．デバイスリンクプロファイル生成機能］
プロファイル生成装置１は、ターゲット側の印刷機Ａのデバイスプロファイル（ICCプロファイル）と、デスティネーション側の印刷機Ｂのデバイスプロファイル（ICCプロファイル）を基にデバイスリンクプロファイルを生成する。生成するデバイスリンクプロファイルは、入力のCMYK値を変換して変換後のCMYK値を出力するためのLUTと、入力側１次元カーブ及び出力側１次元カーブを含む。図１に示すように、本実施形態で生成されるLUTは、CMYKの各色について網点面積率を0%、20%、40%、60％、80%、100%まで20%ずつ（6階調）変化させることによりできるそれぞれの組合せ（すなわち、6の4乗（1296）の組合せ）について、入力値及び出力値を規定する。なお、各入力値は格子点を構成する。
【００１８】
［１．１．２．デバイスリンクプロファイル補正機能］
一般的な手法で生成されたデバイスリンクプロファイルはハイライト部分の網点の再現不良が発生しやすいため、プロファイル生成装置１はハイライト部の色再現性を向上させるように、デバイスリンクプロファイルを補正する機能を有する。具体的には、プロファイル生成装置１は、ハイライト部に該当する部分を刷版カーブの再現となるように補正する。刷版カーブを用いる理由は、刷版カーブが、印刷機による印刷及び刷版カーブの評価というサイクルを複数回繰り返す行うことにより作成され、２次色以上の色をコントロールすることが難しいという側面を有する一方、１次色に関しては測色値から生成されるICCプロファイルよりも色再現に優れているという特徴を有するためである。
【００１９】
［１．２．プロファイル生成装置の構成］
次に、プロファイル生成装置１の構成について説明する。図２に示すように、プロファイル生成装置１は、制御部１１、記憶部１２、インターフェース部１３、表示部１４、及び操作部１５を備えている。
【００２０】
記憶部１２は、例えば、ＨＤＤ（Hard disk drive）等により構成されており、オペレーティングシステムや、アプリケーションプログラム等の各種プログラムを記憶する。特に、本実施形態の記憶部１２には、デバイスリンクプロファイルを生成するためのアプリケーションプログラム（以下、「プロファイル生成アプリ」という。）、生成されたデバイスリンクプロファイルを補正するためのアプリケーションプログラム（以下、「プロファイル補正アプリ」という。）など、各種機能を実現するためのアプリケーションプログラムが記憶されている。なお、各種プログラムは、例えば、他のサーバ装置等からネットワークを介して取得されるようにしても良いし、記録媒体に記録されて外付けドライブ装置を介して読み込まれるようにしても良い。
【００２１】
また、記憶部１２には、作成対象のデバイスリンクプロファイルが利用される印刷機Ｂの刷版カーブ（Ｃ、Ｍ、Ｙ及びＫの４本分の刷版カーブ）を示すデータが記憶される。刷版カーブは、印刷機Ｂで印刷して刷版カーブを評価し、再び印刷するというサイクルを複数回繰り返すことにより作成される。
【００２２】
インターフェース部１３は他の装置や機器との間で送受信されるデータの窓口の役割を果たす。例えば、インターフェース部１３は、図示しない測色器から得られた測色値データを受信する際のデータ変換等を行う。測色器は、印刷機で印刷されたカラーチャートを測色し、L*a*b*値を出力する計測機器である。
【００２３】
表示部１４は、例えば、液晶ディスプレイ等により構成されており、オペレータがプロファイル生成装置１を操作する際の操作画面等を表示する。また、操作部１５は、例えば、キーボードやマウス等により構成されており、オペレータの操作を受け付け、操作内容を示す操作信号を制御部１１に送信する。
【００２４】
制御部１１は、演算機能を有するＣＰＵ（Central Processing Unit）、ＲＯＭ（Read Only Memory）、作業用のＲＡＭ（Random Access Memory）、及び図示しない発振回路等を備えて構成されている。そして、ＣＰＵが、ＲＯＭや記憶部１２に記憶されたプロファイル生成アプリ、プロファイル補正アプリ等の各種プログラムを読み出して実行することにより、各種機能を実現する。なお、制御部１１或いはＣＰＵは、「刷版カーブ取得手段」、「カーブ作成手段」、「書換手段」及び「置換手段」の一例である。
【００２５】
［２．デバイスリンクプロファイル生成処理］
制御部１１は、プロファイル生成アプリを読み出して実行することによりデバイスリンクプロファイル生成処理を行う。なお、制御部１１によるデバイスリンクプロファイル生成処理が実行される前までに、以下に説明する二つのデータを記憶部１２に記録しておくこととする。
【００２６】
一つ目のデータは、LUTのデスティネーション側の測色データである。デスティネーション側の測色データは、デバイスリンクプロファイルの対象となる印刷機Ｂ（デバイスリンクプロファイルにより色調整を行いたい印刷機）にて、928個のカラーパッチ（IT8.7/3）からなるカラーチャートを印刷して、各カラーパッチを測色器にて測色することにより得られる。測色した928点分の測色データ（CMYK値及びL*a*b*値の組合せ）は、線形補間法により928点から1296点に拡張した上で、記憶部１２に記録しておくこととする。
【００２７】
二つ目のデータは、LUTのターゲット側の測色データである。ターゲット側の測色データは、基準となる印刷機Ａでカラーチャートを印刷する点を除き、デスティネーション側の測色データを得る手法と同様の手法で得ることができる。ターゲット側の測色データについても、線形補間法により928点から1296点に拡張した上で、記憶部１２に記録しておくこととする。なお、ターゲット側については、JapanColorなどで定義されているL*a*b*値で代用することができる。
【００２８】
このように、デバイスリンクプロファイル生成処理が実行される前までに、記憶部１２には、ターゲット側の測色データ（CMYK値及びL*a*b*値の組合せ）と、デスティネーション側の測色データ（CMYK値及びL*a*b*値の組合せ）がそれぞれ1296点（LUTの格子点）ずつ記録されることになる。
【００２９】
そして、制御部１１は、記憶部１２に記憶されているこれらのデータを基に、従来公知の方法によりデバイスリンクプロファイルを作成する。デバイスリンクプロファイルは、(i)入力側１次元カーブ、(ii)多次元LUT、(iii)出力側１次元カーブを含んで構成されている。LUTを作成するに当たり、制御部１１は、例えば、ターゲット側のL*a*b*値と、デスティネーション側のL*a*b*値とに基づいてデバイスリンクプロファイルを作成する。具体的には、制御部１１は、ターゲット側のL*a*b*値を一つ選択して、色差ΔEが最小となるデスティネーション側のL*a*b*値を探索し、選択したL*a*b*値に対格子点と対応付けて探索したL*a*b*値に対応するCMYK値をデバイスリンクプロファイルのLUTに書き込むという処理を、1296点分行う。これにより、図１に示す形式のLUTが完成を含むデバイスリンクプロファイルが生成される。
【００３０】
［３．デバイスリンクプロファイル補正処理］
次に、図３に示すフローチャートを用いて、制御部１１によるデバイスリンクプロファイル補正処理について説明する。制御部１１は、プロファイル補正アプリを読み出して実行することによりデバイスリンクプロファイル補正処理を行う。なお、デバイスリンクプロファイル補正処理が実行される前までに、生成されたデバイスリンクプロファイル（例えば、上記デバイスリンクプロファイル生成処理により生成されたデバイスリンクプロファイル）と、デバイスリンクプロファイルが利用される印刷機Ｂの刷版カーブ（Ｃ、Ｍ、Ｙ及びＫの４本分の刷版カーブ）を、記憶部１２に記録しておくこととする。
【００３１】
まず、制御部１１は、記憶部１２に記憶されているデバイスリンクプロファイルが利用される印刷機Ｂの刷版カーブを、当該デバイスリンクプロファイルの出力側１次元カーブに埋めることが可能な形に変換する（ステップＳ１）。デバイスリンクプロファイルの出力側１次元カーブは、C、M、Y及びKの各色について存在する。なお、カーブを描くのに十分な数の値がなければ、データ間の値を補間演算により補間する。補間演算としては、直線補間又はその他の補間方法を利用することができる。一方、刷版カーブも、離散値である補正値（例えば、「+2%」、「-3%」といった値。）として定義されているので、デバイスリンクプロファイルの出力側１次元カーブと同様に、これをデバイスリンクプロファイルの出力側１次元カーブに埋め込めるように補間演算する。なお、制御部１１は、ステップＳ１の処理をC、M、Y及びKの各色について行う。
【００３２】
次いで、制御部１１は、刷版カーブとプロファイルの出力側１次元カーブを所定の網点面積率αで強制連結し、連結カーブを作成する（ステップＳ２）。
【００３３】
ここで、ステップＳ２の処理について図４を用いて具体的に説明する。図４は、ステップＳ１の処理で変換した刷版カーブＣＣと、デバイスリンクプロファイルの出力側１次元カーブＰＣとを、所定の網点面積率α（本実施形態では、α＝３０％とする。）の部分で強制連結した様子を示しており、（ａ）はカーブ全体を示す図であり、（ｂ）は連結部を拡大表示した図である。所定の網点面積率αは、ハイライト部が少なくともαより小さくなるように規定することとする。制御部１１は、刷版カーブＣＣにおけるαより網点面積率の高い部分（「刷版カーブの非ハイライト部分」の一例）を切り外すとともに、デバイスリンクプロファイルの出力側１次元カーブＰＣにおけるαより網点面積率の低い部分（「１次元カーブのハイライト部分」の一例）を切り外し、両者をαの部分で強制的に連結することにより連結カーブＪＣを作成する。換言すれば、制御部１１は、刷版カーブＣＣにおけるαより網点面積率の低い部分（「刷版カーブのハイライト部分」の一例）と、デバイスリンクプロファイルの出力側１次元カーブＰＣにおけるαより網点面積率の高い部分（「１次元カーブの非ハイライト部分」の一例）を連結することにより連結カーブＪＣを作成する。なお、制御部１１は、ステップＳ２の処理をC、M、Y及びKの各色について行う。
【００３４】
次いで、制御部１１は、ステップＳ２の処理で作成した連結カーブＪＣにおける強制連結した部分を平滑化することにより補正１次元カーブＳＣを作成する（ステップＳ３）。図４（ａ）（ｂ）に示すように、強制連結した連結カーブＪＣにおける網点面積率α付近では、カーブが滑らかでなく段差ができてしまっているので、これを滑らかにする必要がある。そこで、制御部１１は、この部分について単純移動平均法を用いて滑らかなカーブとするための平均化処理を行う。単純移動平均のための範囲は適宜設定することができるが、例えば４０程度とし、連結部のがたつきに応じて微調整するのが好ましい。なお、単純移動平均で位相ずれが発生した場合にはその部分を、元の刷版カーブＣＣの再現になるように調整する。例えば、制御部１１が、１から４０までの平均値を２２に書込み、２から４１までの平均値を２３に書き込むとすると、２１以前は平均化する値がないため、この部分に関しては刷版カーブＣＣの値をそのまま採用する。同様にシャドウ部についても連結部の近傍以外は元のデータを採用することから、任意の領域（例えば、４０％）以上はプロファイルの補正１次元カーブＳＣの値を採用する。任意の領域は連結部の網点面積率αに１０％程度足した値とするのが好ましい。制御部１１は、ステップＳ３の処理をC、M、Y及びKの各色について行う。
【００３５】
このように、補正１次元カーブＳＣは、連結部が単純移動平均法に基づくカーブ、連結部より網点面積率の低い部分（ハイライト部を含む。）が刷版カーブＣＣ、連結部より網点面積率の高い部分がデバイスリンクプロファイルの出力側１次元カーブＰＣでそれぞれ構成されることとなる。
【００３６】
次いで、制御部１１は、LUTにおける刷版カーブＣＣを利用する部分（ハイライト部）について、出力値を強制的にリニアに書き換える（ステップＳ４）。リニアに書き換えるとは、出力値を同じＮＯ．で区別される入力値と同じ値に書き換えることを意味する。例えば、[C:20%,M:20%,Y:0%K:0%]の格子点については、出力値を[C:20%,M:20%,Y:0%K:0%]に書き換える。また、本実施形態では、[C:0%,M:20%,Y:40%K:0%]の格子点についてMについてのみリニアとなるように書き換えを行っている。この部分については、Mについても書き換えを行わないことによりマッチング精度を高めることもできるが、本実施形態のようにMについて書き換えを行うことにより、ハイライト部の再現性を向上させることができる。そこで、何れの方法を採用するかをユーザが選択できるような構成としてもよい。
【００３７】
なお、本実施形態では、刷版カーブＣＣを利用する範囲を３０％以下の部分とすべきだが、LUTに３０％の格子点が存在しないことから、３０％より低い２０％以下の格子点をリニアに書き換えることとする。
【００３８】
次いで、制御部１１は、デバイスリンクプロファイルの出力側１次元カーブを、ステップＳ３の処理で作成した補正１次元カーブＳＣにより置換する。なお、制御部１１は、ステップＳ５の処理をC、M、Y及びKの各色について行う。
【００３９】
以上説明したように、本実施形態のプロファイル生成装置１は、印刷機のデバイスリンクプロファイルを補正する機能を有しており、制御部１１が、印刷機Ｂの刷版カーブＣＣを取得し、取得した刷版カーブＣＣのハイライト部分と、デバイスリンクプロファイルに含まれる出力側一次元カーブＰＣにおける非ハイライト部分を連結することにより、連結カーブＪＣ（補正１次元カーブＳＣ）を作成し、デバイスリンクプロファイルに含まれるLUT（Look up Table）におけるハイライト部分の出力値を入力値に対してリニアに書き換え、デバイスリンクプロファイルに含まれる出力側１次元カーブＰＣを、作成した連結カーブＪＣ（補正１次元カーブＳＣ）により置換する。
【００４０】
また、制御部１１は、連結カーブＪＣにおける連結部分の値を、単純移動平均法により算出した値に基づいて平均化することにより、連結部分を平滑化する。
【００４１】
本実施形態のプロファイル生成装置１によれば、デバイスリンクプロファイルのLUTにおけるハイライト部が入力値に対してリニアに書き換えられるとともに、デバイスリンクプロファイルの出力側１次元カーブＰＣが、刷版カーブＣＣのハイライト部分と出力側１次元カーブＰＣの非ハイライト部分を連結した連結カーブＪＣ（補正１次元カーブＳＣ）により置換されることから、ハイライト部分の色再現性に優れたデバイスリンクプロファイルに補正することができる。
【００４２】
図５（ａ）、（ｂ）に、デバイスリンクプロファイルに含まれるLUTにおける網点面積率毎のC、M、Y及びKの入力と出力の差を示すグラフの一例を示す。なお、ここでのLUTは、C、M、Y及びKについて網点面積率１０％間隔で作成したLUTである。図５（ａ）は、一般的な方法で作成されたデバイスリンクプロファイルによる図であり、一方、図５（ｂ）は、デバイスリンクプロファイル補正処理により補正されたデバイスリンクプロファイルによる図である。両者を比較すると、網点面積率３０％以下の部分で刷版カーブＣＣの影響による差が顕著となっており、ハイライト部分での網点の再現不良が解消されると考えられる。
【００４３】
なお、本発明は、上述した実施形態に限定されるわけではなく、その他種々の変更が可能である。
【符号の説明】
【００４４】
１  プロファイル生成装置
１１  制御部
１２  記憶部
１３  インターフェース部
１４  表示部
１５  操作部
ＣＣ  刷版カーブ
ＰＣ  デバイスリンクプロファイルの出力側１次元カーブ
ＪＣ  連結カーブ
ＳＣ  補正１次元カーブ
【図１】
2014022884.tif 000003
【図２】
2014022884.tif 000004
【図３】
2014022884.tif 000005
【図４】
2014022884.tif 000006
【図５】
2014022884.tif 000007